(57)【特許請求の範囲】
【請求項１】
吹出口（１５）から吹き出される吹出空気の流れをコアンダ効果により所定の方向へ誘導可能な空調室内機であって、
水平面に対する吹出空気の吹出角度を変更する風向調整羽根（３１）と、
前記吹出口（１５）の近傍に設けられ、前記吹出空気を自己の下面（３２ａ）に沿わせたコアンダ気流にするコアンダ羽根（３２）と、
前記吹出空気を所定の面に沿わせたコアンダ気流にして前記所定の方向へ誘導するコアンダ効果利用状態と、前記コアンダ気流を発生させない通常状態とを自動で切り換える風向自動切換モードを実行する制御部（４０）と、
を備え、
前記風向調整羽根（３１）及び前記コアンダ羽根（３２）は、水平面に対する傾斜角度を変更することが可能であり、
前記制御部（４０）は、前記風向自動切換モードにおいて、前記風向調整羽根（３１）の動作を停止し、前記コアンダ羽根（３２）がコアンダ効果を発生させる領域とコアンダ効果を発生させない領域との間の境界域を跨ぐように前記コアンダ羽根（３２）の姿勢を変える、
空調室内機（１０）。
【請求項２】
吹出口（１５）から吹き出される吹出空気の流れをコアンダ効果により所定の方向へ誘導可能な空調室内機であって、
水平面に対する吹出空気の吹出角度を変更する風向調整羽根（３１）と、
前記吹出口（１５）の近傍に設けられ、前記吹出空気を自己の下面（３２ａ）に沿わせたコアンダ気流にするコアンダ羽根（３２）と、
前記吹出空気を所定の面に沿わせたコアンダ気流にして前記所定の方向へ誘導するコアンダ効果利用状態と、前記コアンダ気流を発生させない通常状態とを自動で切り換える風向自動切換モードを実行する制御部（４０）と、
を備え、
前記風向調整羽根（３１）及び前記コアンダ羽根（３２）は、水平面に対する傾斜角度を変更することが可能であり、
前記制御部（４０）は、前記風向自動切換モードにおいて、前記コアンダ羽根（３２）の動作を停止し、前記風向調整羽根（３１）がコアンダ効果を発生させる領域とコアンダ効果を発生させない領域との間の境界域を跨ぐように、前記風向調整羽根（３１）の姿勢を変える、
空調室内機（１０）。
【請求項３】
吹出口（１５）から吹き出される吹出空気の流れをコアンダ効果により所定の方向へ誘導可能な空調室内機であって、
水平面に対する吹出空気の吹出角度を変更する風向調整羽根（３１）と、
前記吹出口（１５）の近傍に設けられ、前記吹出空気を自己の下面（３２ａ）に沿わせたコアンダ気流にするコアンダ羽根（３２）と、
前記吹出空気を所定の面に沿わせたコアンダ気流にして前記所定の方向へ誘導するコアンダ効果利用状態と、前記コアンダ気流を発生させない通常状態とを自動で切り換える風向自動切換モードを実行する制御部（４０）と、
を備え、
前記風向調整羽根（３１）及び前記コアンダ羽根（３２）は、水平面に対する傾斜角度を変更することが可能であり、
前記制御部（４０）は、前記風向自動切換モードにおいて、前記風向調整羽根（３１）及び前記コアンダ羽根（３２）がコアンダ効果を発生させる領域とコアンダ効果を発生させない領域との間の境界域を跨ぐように、前記風向調整羽根（３１）及び前記コアンダ羽根（３２）の姿勢を変える、
空調室内機（１０）。
【請求項４】
前記制御部（４０）は、前記風向自動切換モードにおいて、前記コアンダ羽根（３２）をスイングさせて、前記コアンダ効果利用状態と、前記通常状態とを切り換える、
請求項１又は請求項３に記載の空調室内機（１０）。
【請求項５】
前記制御部（４０）は、前記風向自動切換モードにおいて、前記風向調整羽根（３１）をスイングさせて、前記コアンダ効果利用状態と、前記通常状態とを切り換える、
請求項２又は請求項３に記載の空調室内機（１０）。
【請求項６】
前記制御部（４０）は、前記風向自動切換モードにおいて、前記風向調整羽根（３１）及び前記コアンダ羽根（３２）をスイングさせて、前記コアンダ効果利用状態と、前記通常状態とを切り換える、
請求項３に記載の空調室内機（１０）。
【請求項７】
前記制御部（４０）は、前記風向自動切換モードにおいて、前記コアンダ効果利用状態と、前記通常状態との切り換えを、不規則に行う、
請求項１から請求項６のいずれか１項に記載の空調室内機（１０）。
【請求項８】
前記制御部（４０）は、前記風向自動切換モードにおいて、前記コアンダ効果利用状態と、前記通常状態との切り換えを、定期的に行う、
請求項１から請求項６のいずれか１項に記載の空調室内機（１０）。
【請求項９】
人の位置を検知する人位置検知センサ（４４）をさらに備え、
前記風向自動切換モードにおいて、前記通常状態では前記吹出空気の風向が概ね床方向であり、
前記風向は、前記人位置検知センサ（４４）からの検知信号に基づいて決定される、
請求項１から請求項８のいずれか１項に記載の空調室内機（１０）。
【請求項１０】
前記制御部（４０）は、前記風向自動切換モードを実行する際に、前記コアンダ効果利用状態と前記通常状態とが交互に現れるように、前記コアンダ羽根（３２）を所定の静止位置に静止させた状態で、前記風向調整羽根（３１）の前記傾斜角度を上下の所定の範囲で連続変動させる、
請求項２に記載の空調室内機（１０）。
【請求項１１】
前記制御部（４０）は、前記吹出空気の方向の変動回数が所定回数に達したとき、前記コアンダ羽根（３２）の静止位置をずらす、
請求項１０に記載の空調室内機（１０）。
【請求項１２】
前記制御部（４０）は、前記風向自動切換モードを実行する際に、前記コアンダ効果利用状態と前記通常状態とが交互に現れるように、前記風向調整羽根（３１）を所定の静止位置に静止させた状態で、前記コアンダ羽根（３１）の前記傾斜角度を上下の所定の範囲で連続変動させる、
請求項１に記載の空調室内機（１０）。
【請求項１３】
前記制御部（４０）は、前記コアンダ羽根（３２）の傾斜角度の変動回数が所定回数に達したとき、前記吹出空気の方向をずらす、
請求項１２に記載の空調室内機（１０）。
【請求項１４】
前記制御部（４０）は、前記風向自動切換モードを実行する際に、前記コアンダ効果利用状態と前記通常状態とが交互に現れるように、前記風向調整羽根（３１）の前記傾斜角度を上下の所定の範囲で連続変動させ、且つ前記コアンダ羽根（３２）の傾斜角度を上下の所定の範囲で連続変動させる、
請求項３に記載の空調室内機（１０）。
【請求項１５】
前記コアンダ効果利用状態において、前記コアンダ羽根（３２）の後端の高さが運転停止時よりも低くなった状態で前記コアンダ羽根（３２）の後端が前記吹出空気の流れの中に入り込む、
請求項１から請求項３のいずれか１項に記載の空調室内機（１０）。
【発明の詳細な説明】
【技術分野】
【０００１】
本発明は、空調室内機に関する。
【背景技術】
【０００２】
一般に、空気調和機における吹出空気の風向は、吹出口に配置された風向調整羽根を上下に傾斜させることによって調整される。また、人に吹出空気を当てるような風向は不快感を与えることから、風向に関する研究は、もっぱら部屋全体の温度分布を均一にすることに注力される傾向にあった。例えば、特許文献１（特開２００２−６１９３８号公報）に開示されている空気調和機では、前面パネルの前面傾斜部が天井に向けてなだらかに傾斜する形状を成している。吹出口から吹き出された調和空気が上下風向板によって前面傾斜部へ偏向されたとき、その調和空気は前面傾斜部に沿って天井方向に導かれる。その結果、調和空気を天井面に沿ってより遠くへ到達させることができ、部屋全体の温度分布を均一になる。
【発明の概要】
【発明が解決しようとする課題】
【０００３】
しかしながら、近年、自然風のような不規則な（突然の）風を発生させたいというニーズが高まりつつあり、上記のような空気調和機では、たとえ、風向調整羽根を自動で動作させても風が徐々に近づき徐々に遠ざかる当たり方であり、そのニーズには応えられていない。
【０００４】
本発明の課題は、風向を瞬時に変更し、自然風のような不規則な風を発生させることができる空調室内機を提供することにある。
【課題を解決するための手段】
【０００５】
本発明の第１観点に係る空調室内機は、吹出口から吹き出される吹出空気の流れをコアンダ効果により所定の方向へ誘導可能な空調室内機であって、風向調整羽根と、コアンダ羽根と、風向自動切換モードを実行する制御部を備えている。風向自動切換モードは、吹出空気を所定の面に沿わせたコアンダ気流にして所定の方向へ誘導するコアンダ効果利用状態と、コアンダ気流を発生させない通常状態とを自動で切り換えるモードである。風向調整羽根は、水平面に対する吹出空気の吹出角度を変更する。コアンダ羽根は、吹出口の近傍に設けられ、吹出空気を自己の下面に沿わせたコアンダ気流にする。風向調整羽根およびコアンダ羽根は、水平面に対する傾斜角度を変更することが可能である。制御部、風向自動切換モードにおいて、風向調整羽根の動作を停止し、コアンダ羽根がコアンダ効果を発生させる領域とコアンダ効果を発生させない領域との間の境界域を跨ぐようにコアンダ羽根の姿勢を変える。
【０００６】
この空調室内機では、コアンダ羽根の姿勢を変更することによって、コアンダ羽根の位置および傾斜角が変更される。例えば、コアンダ羽根の姿勢を変えながら吹出空気に近づけていくとき、ある程度吹出空気に近づいた位置で吹出空気がコアンダ羽根の表面（下面）に吸い寄せられその表面に沿ったコアンダ気流に切り換わる。逆に、元の吹出空気から離れる方向にコアンダ羽根の姿勢を変えていくとき、ある程度離れた位置でコアンダ気流が瞬時に消滅して元の吹出空気に切り換わる。
【０００７】
本発明の第２観点に係る空調室内機は、吹出口から吹き出される吹出空気の流れをコアンダ効果により所定の方向へ誘導可能な空調室内機であって、風向調整羽根と、コアンダ羽根と、風向自動切換モードを実行する制御部を備えている。風向自動切換モードは、吹出空気を所定の面に沿わせたコアンダ気流にして所定の方向へ誘導するコアンダ効果利用状態と、コアンダ気流を発生させない通常状態とを自動で切り換えるモードである。風向調整羽根は、水平面に対する吹出空気の吹出角度を変更する。コアンダ羽根は、吹出口の近傍に設けられ、吹出空気を自己の下面に沿わせたコアンダ気流にする。風向調整羽根およびコアンダ羽根は、水平面に対する傾斜角度を変更することが可能である。制御部は、風向自動切換モードにおいて、コアンダ羽根の動作を停止し、風向調整羽根がコアンダ効果を発生させる領域とコアンダ効果を発生させない領域との間の境界域を跨ぐように、風向調整羽根の姿勢を変える。
【０００８】
この空調室内機では、風向調整羽根によって吹出空気をコアンダ羽根に近づくように偏向するとき、ある程度コアンダ羽根に近づいてところで吹出空気がコアンダ羽根の表面に吸い寄せられてその表面に沿ったコアンダ気流に切り換わる。逆に、吹出方向がコアンダ羽根から離れるように風向調整羽根の姿勢を変えていくとき、ある程度離れた位置でコアンダ気流が瞬時に消滅して吹出空気に切り換わる。
【０００９】
本発明の第３観点に係る空調室内機は、吹出口から吹き出される吹出空気の流れをコアンダ効果により所定の方向へ誘導可能な空調室内機であって、風向調整羽根と、コアンダ羽根と、風向自動切換モードを実行する制御部を備えている。風向自動切換モードは、吹出空気を所定の面に沿わせたコアンダ気流にして所定の方向へ誘導するコアンダ効果利用状態と、コアンダ気流を発生させない通常状態とを自動で切り換えるモードである。風向調整羽根は、水平面に対する吹出空気の吹出角度を変更する。コアンダ羽根は、吹出口の近傍に設けられ、吹出空気を自己の下面に沿わせたコアンダ気流にする。風向調整羽根およびコアンダ羽根は、水平面に対する傾斜角度を変更することが可能である。制御部は、風向自動切換モードにおいて、風向調整羽根およびコアンダ羽根がコアンダ効果を発生させる領域とコアンダ効果を発生させない領域との間の境界域を跨ぐように、風向調整羽根およびコアンダ羽根の姿勢を変える。
【００１０】
この空調室内機では、風向調整羽根によって風向調整された吹出空気とコアンダ羽根とが互いに近づくように風向調整羽根およびコアンダ羽根の姿勢を制御したとき、吹出空気がある程度コアンダ羽根に近づいたところで吹出空気がコアンダ羽根の表面に吸い寄せられてその表面に沿ったコアンダ気流に切り換わる。逆に、風向調整羽根による吹出方向とコアンダ羽根とが互いに遠ざかるように風向調整羽根およびコアンダ羽根の姿勢を制御したとき、互いにある程度遠ざかった位置でコアンダ気流が瞬時に消滅して吹出空気に切り換わる。
【００１１】
本発明の第４観点に係る空調室内機は、第１観点または第３観点に係る空調室内機であって、制御部が、風向自動切換モードにおいて、コアンダ羽根をスイングさせて、コアンダ効果利用状態と、通常状態とを切り換える。
【００１２】
この空調室内機では、コアンダ羽根が姿勢を変えるので、例えば、コアンダ羽根が吹出口よりも上側に位置している場合は、下吹きの吹出空気を瞬時に水平吹きコアンダ気流へ、或いは、水平吹き吹出空気を瞬時に上吹きコアンダ気流に切り換えることができる。
【００１３】
本発明の第５観点に係る空調室内機は、第２観点または第３観点に係る空調室内機であって、制御部が、風向自動切換モードにおいて、風向調整羽根をスイングさせて、コアンダ効果利用状態と、通常状態とを切り換える。
【００１４】
この空調室内機では、風向調整羽根が姿勢を変えるので、例えば、コアンダ羽根が風向調整羽根よりも上側に位置している場合は、吹出空気を下吹きから徐々に上吹きに変更していく過程で、吹出空気が瞬時に水平吹きのコアンダ気流へ、或いは、上吹きのコアンダ気流に切り換わる。
【００１５】
本発明の第６観点に係る空調室内機は、第３観点に係る空調室内機であって、制御部が、風向自動切換モードにおいて、風向調整羽根およびコアンダ羽根スイングさせて、コアンダ効果利用状態と、通常状態とを切り換える。
【００１６】
この空調室内機では、風向調整羽根及びコアンダ羽根が姿勢を変えるので、例えば、コアンダ羽根が風向調整羽根よりも上前方に位置している場合は、吹出空気を下吹きから徐々に上吹きに変更し、且つ、コアンダ羽根が徐々に吹出空気に近づいていく過程で、吹出空気が瞬時に水平吹きコアンダ気流へ、或いは、上吹きコアンダ気流に切り換わる。
【００１７】
本発明の第７観点に係る空調室内機は、第１観点から第６観点のいずれか１つに係る空調室内機であって、制御部が、風向自動切換モードにおいて、コアンダ効果利用状態と、通常状態との切り換えを不規則に行う。この空調室内機では、自然風のような不規則な風を発生させることができる。
【００１８】
本発明の第８観点に係る空調室内機は、第１観点から第６観点のいずれか１つに係る空調室内機であって、制御部が、風向自動切換モードにおいて、コアンダ効果利用状態と、通常状態との切り換えを、定期的に行う。この空調室内機では、自然風のような突然の風を定期的に発生させることができる。
【００１９】
本発明の第９観点に係る空調室内機は、第１観点から第８観点のいずれか１つに係る空調室内機であって、人の位置を検知する人位置検知センサをさらに備えている。風向自動切換モードにおいて、通常状態では吹出空気の風向が概ね床方向である。風向は、人位置検知センサからの検知信号に基づいて決定される。この空調室内機では、人の有無を自動で検知して、人に自然風に似た風を自動で送ることができる。
【００２０】
本発明の第１０観点に係る空調室内機は、第２観点に係る空調室内機であって、制御部が、風向自動切換モードを実行する際に、コアンダ効果利用状態と通常状態とが交互に現れるように、コアンダ羽根を所定の静止位置に静止させた状態で、風向調整羽根の傾斜角度を上下の所定の範囲で連続変動させる。
【００２１】
この空調室内機では、吹出空気の方向が上下に変動することによって、居住者は風が徐々に近づき徐々に遠ざかっていくように感じる。また、吹出空気は静止するコアンダ羽根に接触することによってコアンダ気流となって居住者に当たらない方向に向うので、突然風が止まったように感じる。さらに、吹出空気が静止するコアンダ羽根から離れたとき、コアンダ気流が解消され、不意に風が吹いてきたように感じる。
【００２２】
本発明の第１１観点に係る空調室内機は、第１０観点に係る空調室内機であって、制御部が、吹出空気の方向の変動回数が所定回数に達したとき、コアンダ羽根の静止位置をずらす。
【００２３】
この空調室内機では、コアンダ羽根に吹出空気が接触してコアンダ気流になるタイミングが前回と変わるので、風が居住者に当たるタイミングが不規則になり、その不規則感が風をさらに自然風に近づける。
【００２４】
本発明の第１２観点に係る空調室内機は、第１観点に係る空調室内機であって、制御部が、風向自動切換モードを実行する際に、コアンダ効果利用状態と通常状態とが交互に現れるように、風向調整羽根を所定の静止位置に静止させた状態で、コアンダ羽根の傾斜角度を上下の所定の範囲で連続変動させる。
【００２５】
この空調室内機では、風向調整羽根によって吹出空気が居住者に向っている状態のときに、コアンダ羽根の傾斜角度が上下に変動することによって、吹出空気がコアンダ羽根に接触してコアンダ気流となり居住者に当たらない別の方向に向うので、居住者は突然風が止まったように感じる。その後、コアンダ羽根が吹出空気から遠ざかることによってコアンダ気流が解消され、再び吹出空気が居住者に当たるので、不意に風が吹いてきたように感じる。
【００２６】
本発明の第１３観点に係る空調室内機は、第１２観点に係る空調室内機であって、制御部が、コアンダ羽根の傾斜角度の変動回数が所定回数に達したとき、吹出空気の方向をずらす。
【００２７】
この空調室内機では、コアンダ羽根に吹出空気が接触してコアンダ気流になるタイミングが前回と変わるので、風が居住者に当たるタイミングが不規則になり、その不規則感が風をさらに自然風に近づける。
【００２８】
本発明の第１４観点に係る空調室内機は、第３観点に係る空調室内機であって、制御部が、風向自動切換モードを実行する際に、コアンダ効果利用状態と通常状態とが交互に現れるように、風向調整羽根の傾斜角度を上下の所定の範囲で連続変動させ、且つコアンダ羽根の傾斜角度を上下の所定の範囲で連続変動させる。
【００２９】
この空調室内機では、吹出空気の方向が上下に変動することによって、居住者は風が徐々に近づき徐々に遠ざかっていくように感じる。また、吹出空気がコアンダ羽根に接触することによってコアンダ気流となって居住者に当たらない方向に向うので、突然風が止まったように感じる。さらに、吹出空気がコアンダ羽根から離れたとき、コアンダ気流が解消され、不意に風が吹いてきたように感じる。
【００３０】
本発明の第１５観点に係る空調室内機は、第１観点から第３観点のいずれか１つに係る空調室内機であって、コアンダ効果利用状態において、コアンダ羽根の後端の高さが運転停止時よりも低くなった状態でコアンダ羽根の後端が吹出空気の流れの中に入り込む。その結果、この空調室内機ではコアンダ効果によるコアンダ気流が生成し易くなる。
【発明の効果】
【００３１】
本発明の第１観点に係る空調室内機では、コアンダ羽根の姿勢を変更することによって、コアンダ羽根の位置および傾斜角が変更される。例えば、コアンダ羽根の姿勢を変えながら吹出空気に近づけていくとき、ある程度吹出空気に近づいた位置で吹出空気がコアンダ羽根の表面（下面）に吸い寄せられその表面に沿ったコアンダ気流に切り換わる。逆に、元の吹出空気から離れる方向にコアンダ羽根の姿勢を変えていくとき、ある程度離れた位置でコアンダ気流が瞬時に消滅して元の吹出空気に切り換わる。
【００３２】
本発明の第２観点に係る空調室内機では、風向調整羽根によって吹出空気をコアンダ羽根に近づくように偏向するとき、ある程度コアンダ羽根に近づいてところで吹出空気がコアンダ羽根の表面に吸い寄せられてその表面に沿ったコアンダ気流に切り換わる。逆に、吹出方向がコアンダ羽根から離れるように風向調整羽根の姿勢を変えていくとき、ある程度離れた位置でコアンダ気流が瞬時に消滅して吹出空気に切り換わる。
【００３３】
本発明の第３観点に係る空調室内機では、風向調整羽根によって風向調整された吹出空気とコアンダ羽根とが互いに近づくように風向調整羽根およびコアンダ羽根の姿勢を制御したとき、吹出空気がある程度コアンダ羽根に近づいてところで吹出空気がコアンダ羽根の表面に吸い寄せられてその表面に沿ったコアンダ気流に切り換わる。逆に、風向調整羽根による吹出方向とコアンダ羽根とが互いに遠ざかるように風向調整羽根およびコアンダ羽根の姿勢を制御したとき、互いにある程度遠ざかった位置でコアンダ気流が瞬時に消滅して吹出空気に切り換わる。
【００３４】
本発明の第４観点に係る空調室内機では、コアンダ羽根が姿勢を変えるので、例えば、コアンダ羽根が吹出口よりも上側に位置している場合は、下吹きの吹出空気を瞬時に水平吹きコアンダ気流へ、或いは、水平吹き吹出空気を瞬時に上吹きコアンダ気流に切り換えることができる。
【００３５】
本発明の第５観点に係る空調室内機では、風向調整羽根が姿勢を変えるので、例えば、コアンダ羽根が風向調整羽根よりも上側に位置している場合は、吹出空気を下吹きから徐々に上吹きに変更していく過程で、吹出空気が瞬時に水平吹きのコアンダ気流へ、或いは、上吹きのコアンダ気流に切り換わる。
【００３６】
本発明の第６観点に係る空調室内機では、風向調整羽根及びコアンダ羽根が姿勢を変えるので、例えば、コアンダ羽根が風向調整羽根よりも上前方に位置している場合は、吹出空気を下吹きから徐々に上吹きに変更し、且つ、コアンダ羽根が徐々に吹出空気に近づいていく過程で、吹出空気が瞬時に水平吹きコアンダ気流へ、或いは、上吹きコアンダ気流に切り換わる。
【００３７】
本発明の第７観点に係る空調室内機では、自然風のような不規則な風を発生させることができる。
【００３８】
本発明の第８観点に係る空調室内機では、自然風のような突然の風を定期的に発生させることができる。
【００３９】
本発明の第９観点に係る空調室内機では、人の有無を自動で検知して、人に自然風に似た風を自動で送ることができる。
【００４０】
本発明の第１０観点に係る空調室内機では、吹出空気の方向が上下に変動することによって、居住者は風が徐々に近づき徐々に遠ざかっていくように感じる。また、吹出空気は静止するコアンダ羽根に接触することによってコアンダ気流となって居住者に当たらない方向に向うので、突然風が止まったように感じる。さらに、吹出空気が静止するコアンダ羽根から離れたとき、コアンダ気流が解消され、不意に風が吹いてきたように感じる。
【００４１】
本発明の第１１観点に係る空調室内機では、コアンダ羽根に吹出空気が接触してコアンダ気流になるタイミングが前回と変わるので、風が居住者に当たるタイミングが不規則になり、その不規則感が風をさらに自然風に近づける。
【００４２】
本発明の第１２観点に係る空調室内機では、風向調整羽根によって吹出空気が居住者に向っている状態のときに、コアンダ羽根の傾斜角度が上下に変動することによって、吹出空気がコアンダ羽根に接触してコアンダ気流となり居住者に当たらない別の方向に向うので、居住者は突然風が止まったように感じる。その後、コアンダ羽根が吹出空気から遠ざかることによってコアンダ気流が解消され、再び吹出空気が居住者に当たるので、不意に風が吹いてきたように感じる。
【００４３】
本発明の第１３観点に係る空調室内機では、コアンダ羽根に吹出空気が接触してコアンダ気流になるタイミングが前回と変わるので、風が居住者に当たるタイミングが不規則になり、その不規則感が風をさらに自然風に近づける。
【００４４】
本発明の第１４観点に係る空調室内機では、吹出空気の方向が上下に変動することによって、居住者は風が徐々に近づき徐々に遠ざかっていくように感じる。また、吹出空気がコアンダ羽根に接触することによってコアンダ気流となって居住者に当たらない方向に向うので、突然風が止まったように感じる。さらに、吹出空気がコアンダ羽根から離れたとき、コアンダ気流が解消され、不意に風が吹いてきたように感じる。
【００４５】
本発明の第１５観点に係る空調室内機では、コアンダ効果によるコアンダ気流が生成し易くなる。
【図面の簡単な説明】
【００４６】
【図１】本発明の一実施形態に係る運転停止時の空調室内機の断面図。
【図２】運転時の空調室内機の断面図。
【図３Ａ】吹出空気が通常前吹き時の風向調整羽根およびコアンダ羽根の側面図。
【図３Ｂ】吹出空気が通常前方下吹き時の風向調整羽根およびコアンダ羽根の側面図。
【図３Ｃ】コアンダ気流前方吹き時の風向調整羽根およびコアンダ羽根の側面図。
【図３Ｄ】コアンダ気流天井吹き時の風向調整羽根およびコアンダ羽根の側面図。
【図３Ｅ】下吹き時の風向調整羽根およびコアンダ羽根の側面図。
【図４Ａ】吹出空気の方向およびコアンダ気流の方向を示す概念図。
【図４Ｂ】風向調整羽根とコアンダ羽根との開き角度の一例を表す概念図。
【図５Ａ】コアンダ気流前方吹き時のスクロールの終端Ｆの接線とコアンダ羽根とが成す内角と、スクロールの終端Ｆの接線と風向調整羽根とが成す内角との比較図。
【図５Ｂ】コアンダ気流天井吹き時のスクロールの終端Ｆの接線とコアンダ羽根とが成す内角と、スクロールの終端Ｆの接線と風向調整羽根とが成す内角との比較図。
【図６Ａ】コアンダ羽根が第１姿勢をとるときのコアンダ気流の風向を示す空調室内機設置空間の側面図。
【図６Ｂ】コアンダ羽根が第２姿勢をとるときのコアンダ気流の風向を示す空調室内機設置空間の側面図。
【図６Ｃ】コアンダ羽根が第４姿勢をとるときのコアンダ気流の風向を示す空調室内機設置空間の側面図。
【図７Ａ】制御部とリモコンとの関係を示すブロック図。
【図７Ｂ】「コアンダ風向設定」メニューの下位メニューを表した表示部の正面図。
【図８Ａ】コアンダ羽根が第３姿勢のときの風向調整羽根とコアンダ羽根の側面図。
【図８Ｂ】コアンダ羽根が第５姿勢のときの風向調整羽根とコアンダ羽根の側面図。
【図９Ａ】風向調整羽根の上下遥動による吹出空気の風向を示す空調室内機設置空間の側面図。
【図９Ｂ】風向調整羽根が下向き時の吹出空気の風向を示す空調室内機設置空間の側面図。
【図９Ｃ】コアンダ羽根の姿勢が第２姿勢のときのコアンダ気流の風向を示す空調室内機設置空間の側面図。
【図１０Ａ】風向選択メニューを表示する表示部の正面図。
【図１０Ｂ】「自然風設定」メニューの下位メニューを表した表示部の正面図。
【図１１Ａ】コアンダ効果を発生させる領域とコアンダ効果を発生させない領域との間の境界域を跨ぐように移動するコアンダ羽根の側面図。
【図１１Ｂ】コアンダ効果を発生させる領域とコアンダ効果を発生させない領域との間の境界域を跨ぐように移動する風向調整羽根の側面図。
【図１２】制御部、人検知センサおよびリモコンとの関係を示すブロック図。
【図１３Ａ】第２変形例に係る空調室内機の風向調整羽根およびコアンダ羽根の側面図。
【図１３Ｂ】図１３Ａにおけるコアンダ羽根の静止位置をわずかに下方へずらした状態のときの風向調整羽根およびコアンダ羽根の側面図。
【図１４Ａ】第３変形例に係る空調室内機の風向調整羽根およびコアンダ羽根の側面図。
【図１４Ｂ】図１４Ａにおける風向調整羽根の静止位置をわずかに下方へずらした状態のときの風向調整羽根およびコアンダ羽根の側面図。
【図１５】第４変形例に係る空調室内機の風向調整羽根およびコアンダ羽根の側面図。
【発明を実施するための形態】
【００４７】
以下、図面を参照しながら、本発明の実施形態について説明する。なお、以下の実施形態は、本発明の具体例であって、本発明の技術的範囲を限定するものではない。
【００４８】
（１）空調室内機１０の構成
図１は、本発明の一実施形態に係る運転停止時の空調室内機１０の断面図である。また、図２は、運転時の空調室内機１０の断面図である。図１及び図２において、空調室内機１０は壁掛けタイプであり、本体ケーシング１１、室内熱交換器１３、室内ファン１４、底フレーム１６、及び制御部４０が搭載されている。
【００４９】
本体ケーシング１１は、天面部１１ａ、前面パネル１１ｂ、背面板１１ｃ及び下部水平板１１ｄを有し、内部に室内熱交換器１３、室内ファン１４、底フレーム１６、及び制御部４０を収納している。
【００５０】
天面部１１ａは、本体ケーシング１１の上部に位置し、天面部１１ａの前部には、吸込口（図示せず）が設けられている。
【００５１】
前面パネル１１ｂは室内機の前面部を構成しており、吸込口がないフラットな形状を成している。また、前面パネル１１ｂは、その上端が天面部１１ａに回動自在に支持され、ヒンジ式に動作することができる。
【００５２】
室内熱交換器１３及び室内ファン１４は、底フレーム１６に取り付けられている。室内熱交換器１３は、通過する空気との間で熱交換を行う。また、室内熱交換器１３は、側面視において両端が下方に向いて屈曲する逆Ｖ字状の形状を成し、その下方に室内ファン１４が位置する。室内ファン１４は、クロスフローファンであり、室内から取り込んだ空気を、室内熱交換器１３に当てて通過させた後、室内に吹き出す。
【００５３】
本体ケーシング１１の下部には、吹出口１５が設けられている。吹出口１５には、吹出口１５から吹き出される吹出空気の方向を変更する風向調整羽根３１が回動自在に取り付けられている。風向調整羽根３１は、モータ（図示せず）によって駆動し、吹出空気の方向を変更するだけでなく、吹出口１５を開閉することもできる。風向調整羽根３１は、傾斜角が異なる複数の姿勢をとることが可能である。
【００５４】
また、吹出口１５の近傍にはコアンダ羽根３２が設けられている。コアンダ羽根３２は、モータ（図示せず）によって前後方向に傾斜した姿勢をとることが可能であり、運転停止時に前面パネル１１ｂに設けられた収容部１３０に収容される。コアンダ羽根３２は、傾斜角が異なる複数の姿勢をとることが可能である。
【００５５】
また、吹出口１５は、吹出流路１８によって本体ケーシング１１の内部と繋がっている。吹出流路１８は、吹出口１５から底フレーム１６のスクロール１７に沿って形成されている。
【００５６】
室内空気は、室内ファン１４の稼動によって吸込口、室内熱交換器１３を経て室内ファン１４に吸い込まれ、室内ファン１４から吹出流路１８を経て吹出口１５から吹き出される。
【００５７】
制御部４０は、本体ケーシング１１を前面パネル１１ｂから視て室内熱交換器１３及び室内ファン１４の右側方に位置しており、室内ファン１４の回転数制御、風向調整羽根３１及びコアンダ羽根３２の動作制御を行う。
【００５８】
（２）詳細構成
（２−１）前面パネル１１ｂ
図１に示すように、前面パネル１１ｂは本体ケーシング１１の上部前方からなだらかな円弧曲面を描きながら下部水平板１１ｄの前方エッジに向かって延びている。前面パネル１１ｂの下部に本体ケーシング１１の内側に向かって窪んだ領域がある。この領域の窪み深さはコアンダ羽根３２の厚み寸法に合うように設定されており、コアンダ羽根３２が収容される収容部１３０を成している。収容部１３０の表面もなだらかな円弧曲面である。
【００５９】
（２−２）吹出口１５
図１に示すように、吹出口１５は、本体ケーシング１１の下部に形成されており、横方向（図１紙面と直交する方向）を長辺とする長方形の開口である。吹出口１５の下端は下部水平板１１ｄの前方エッジに接しており、吹出口１５の下端と上端とを結ぶ仮想面は前方上向きに傾斜している。
【００６０】
（２−３）スクロール１７
スクロール１７は、室内ファン１４に対峙するように湾曲した隔壁であり、底フレーム１６の一部である。スクロール１７の終端Ｆは、吹出口１５の周縁近傍まで到達している。吹出流路１８を通る空気は、スクロール１７に沿って進み、スクロール１７の終端Ｆの接線方向に送られる。したがって、吹出口１５に風向調整羽根３１がなければ、吹出口１５から吹き出される吹出空気の風向は、スクロール１７の終端Ｆの接線Ｌ０に概ね沿った方向である。
【００６１】
（２−４）垂直風向調整板２０
垂直風向調整板２０は、図１及び図２に示すように、複数の羽根片２０１と、複数の羽根片２０１を連結する連結棒２０３を有している。また、垂直風向調整板２０は、吹出流路１８において、風向調整羽根３１よりも室内ファン１４近傍に配置されている。
【００６２】
複数枚の羽根片２０１は、連結棒２０３が吹出口１５の長手方向に沿って水平往復移動することによって、その長手方向に対して垂直な状態を中心に左右に揺動する。なお、連結棒２０３は、モータ（図示せず）によって水平往復移動する。
【００６３】
（２−５）風向調整羽根３１
風向調整羽根３１は、吹出口１５を塞ぐことができる程度の面積を有している。風向調整羽根３１が吹出口１５を閉じた状態において、その外側面３１ａは前面パネル１１ｂの曲面の延長上にあるような外側に凸のなだらかな円弧曲面に仕上げられている。また、風向調整羽根３１の内側面３１ｂ（図２参照）も、外面にほぼ平行な円弧曲面を成している。
【００６４】
風向調整羽根３１は、下端部に回動軸３１１を有している。回動軸３１１は、吹出口１５の下端近傍で、本体ケーシング１１に固定されているステッピングモータ（図示せず）の回転軸に連結されている。
【００６５】
回動軸３１１が図１正面視反時計方向に回動することによって、風向調整羽根３１の上端が吹出口１５の上端側から遠ざかるように動作して吹出口１５を開ける。逆に、回動軸３１１が図１正面視時計方向に回動することによって、風向調整羽根３１の上端が吹出口１５の上端側へ近づくように動作して吹出口１５を閉じる。
【００６６】
風向調整羽根３１が吹出口１５を開けている状態において、吹出口１５から吹き出された吹出空気は、風向調整羽根３１の内側面３１ｂに概ね沿って流れる。すなわち、スクロール１７の終端Ｆの接線方向に概ね沿って吹き出された吹出空気は、その風向が風向調整羽根３１によってやや上向きに変更される。
【００６７】
（２−６）コアンダ羽根３２
コアンダ羽根３２は、空調運転が停止している間や後述する通常吹出モードでの運転では収容部１３０に収納されている。コアンダ羽根３２は回動することによって収容部１３０から離れる。コアンダ羽根３２の回動軸３２１は、収容部１３０の下端近傍で且つ本体ケーシング１１の内側の位置（吹出流路１８上壁の上方の位置）に設けられており、コアンダ羽根３２の下端部と回動軸３２１とは所定の間隔を保って連結されている。それゆえ、回動軸３２１が回動してコアンダ羽根３２が室内機前面部の収容部１３０から離れるほど、コアンダ羽根３２の下端の高さ位置は低くなるように回転する。また、コアンダ羽根３２が回転して開いたときの傾斜は室内機前面部の傾斜よりも緩やかである。
【００６８】
本実施形態では、収容部１３０は、送風路の外に設けられており、収容時にコアンダ羽根３２の全体が送風路の外側に収容される。かかる構造に代えて、コアンダ羽根３２の一部のみが送風路の外側に収容され、残りが送風路内（たとえば、送風経路の上壁部）に収容されるようにしてもよい。
【００６９】
また、回動軸３２１が図１正面視反時計方向に回動することによって、コアンダ羽根３２の上端および下端ともに円弧を描きながら収容部１３０から離れるが、そのとき、上端と吹出口より上方の室内機前面部の収容部１３０との最短距離は、下端と収容部１３０との最短距離より大きい。すなわち、コアンダ羽根３２は前方に行くにしたがって前記室内機前面部から離れるような姿勢に制御される。そして、回動軸３２１が図１正面視時計方向に回動することによって、コアンダ羽根３２は収容部１３０に近づき、最終的に収容部１３０に収容される。コアンダ羽根３２の運転状態の姿勢としては、収容部１３０に収納された状態、回転して前方上向きに傾斜した姿勢、さらに回転してほぼ水平な姿勢、さらに回転して前方下向きに傾斜した姿勢がある。
【００７０】
コアンダ羽根３２が収容部１３０に収容された状態で、コアンダ羽根３２の外側面３２ａは前面パネル１１ｂのなだらかな円弧曲面の延長上にあるような外側に凸のなだらかな円弧曲面に仕上げられている。また、コアンダ羽根３２の内側面３２ｂは、収容部１３０の表面に沿うような円弧曲面に仕上げられている。
【００７１】
また、コアンダ羽根３２の長手方向の寸法は、風向調整羽根３１の長手方向の寸法以上となるように設定されている。この理由は風向調整羽根３１で風向調節された吹出空気すべてをコアンダ羽根３２で受けるためであり、その目的はコアンダ羽根３２の側方からの吹出空気がショートサーキットすることを防止することである。
【００７２】
（３）吹出空気の方向制御
本実施形態の空調室内機は、吹出空気の方向を制御する手段として、風向調整羽根３１のみを回動させて吹出空気の方向を調整する通常吹出モードと、風向調整羽根３１及びコアンダ羽根３２を回動させてコアンダ効果によって吹出空気をコアンダ羽根３２の外側面３２ａに沿わせたコアンダ気流にするコアンダ効果利用モードと、風向調整羽根３１及びコアンダ羽根３２それぞれの先端を前方下向きにして吹出空気を下方に導く下吹きモードを有している。
【００７３】
風向調整羽根３１及びコアンダ羽根３２は、上記各モードにおいて空気の吹出方向ごとに姿勢が変化するので、各姿勢について図３Ａ〜図３Ｅを参照しながら説明する。なお、吹出方向の選択は、ユーザーがリモコン等を介して行なうことができるものとする。また、モードの変更や吹出方向は自動的に変更されるように制御することも可能である。
【００７４】
（３−１）通常吹出モード
通常吹出モードは、風向調整羽根３１のみを回動させて吹出空気の方向を調整するモードであり、「通常前吹き」と「通常前方下吹き」とを含む。
【００７５】
（３−１−１）通常前吹き
図３Ａは、吹出空気が通常前吹き時の風向調整羽根３１及びコアンダ羽根３２の側面図である。図３Ａにおいて、ユーザーが「通常前吹き」を選択したとき、制御部４０は風向調整羽根３１の内側面３１ｂが略水平になる位置まで風向調整羽根３１を回動させる。なお、本願実施形態のように風向調整羽根３１の内側面３１ｂが円弧曲面をなしている場合は、内側面３１ｂの前方端Ｅ１における接線が略水平になるまで風向調整羽根３１を回動させる。その結果、吹出空気は、前吹き状態となる。
【００７６】
（３−１−２）通常前方下吹き
図３Ｂは、吹出空気が通常前方下吹き時の風向調整羽根３１及びコアンダ羽根３２の側面図である。図３Ｂにおいて、ユーザーは吹出方向を「通常前吹き」よりも下方に向けたいとき、「通常前方下吹き」を選択すればよい。
【００７７】
このとき、制御部４０は、風向調整羽根３１の内側面３１ｂの前方端Ｅ１における接線が水平よりも前下がりになるまで風向調整羽根３１を回動させる。その結果、吹出空気は、前方下吹き状態となる。
【００７８】
（３−２）コアンダ効果利用モード
コアンダ（効果）とは、気体や液体の流れのそばに壁があると、流れの方向と壁の方向とが異なっていても、壁面に沿った方向に流れようとする現象である（朝倉書店「法則の辞典」）。コアンダ利用モードは、このコアンダ効果を利用した「コアンダ気流前方吹き」および「コアンダ気流天井吹き」を含む。
【００７９】
また、吹出空気の方向およびコアンダ気流の方向については、基準位置の取り方次第で定義の方法が異なるので、以下に一例を示す。但し、それに限定されるものではない。図４Ａは、吹出空気の方向およびコアンダ気流の方向を示す概念図である。図４Ａにおいて、コアンダ羽根３２の外側面３２ａ側にコアンダ効果を生じさせるには、風向調整羽根３１によって変更された吹出空気の方向（Ｄ１）の傾斜がコアンダ羽根３２の姿勢（傾斜）に近くなる必要がある。両者が離れすぎているとコアンダ効果が生じない。そのため、本コアンダ効果利用モードでは、コアンダ羽根３２と風向調整羽根３１とが所定の開き角度以下になる必要があり、両調整板（３１、３２）がその範囲内を成すようにして、上記の関係が成立するようにしている。これにより、図４Ａに示すように、吹出空気の風向が風向調整羽根３１によってＤ１に変更された後、さらにコアンダ効果によりＤ２に変更される。
【００８０】
また、本実施形態のコアンダ効果利用モードでは、コアンダ羽根３２が風向調整羽根３１の前方（吹出の下流側）かつ上方の位置あるのが好ましい。
【００８１】
また、風向調整羽根３１とコアンダ羽根３２との開き角度については、基準位置の取り方次第で定義の方法が異なるので、以下に一例を示す。但し、それに限定されるものではない。図４Ｂは、風向調整羽根３１とコアンダ羽根３２との開き角度の一例を表す概念図である。図４Ｂにおいて、風向調整羽根３１の内側面３１ｂの前後端を結ぶ直線と水平線との角度を風向調整羽根３１の傾斜角θ１とし、コアンダ羽根３２の外側面３２ａの前後端を結ぶ直線と水平線との角度をコアンダ羽根３２の傾斜角θ２としたとき、風向調整羽根３１とコアンダ羽根３２との開き角度θ＝θ２−θ１である。なお、θ１及びθ２は絶対値ではなく、図４Ｂ正面視において水平線よりも下方となる場合は負の値である。
【００８２】
「コアンダ気流前方吹き」および「コアンダ気流天井吹き」ともに、風向調整羽根３１およびコアンダ羽根３２は、スクロール１７の終端Ｆの接線とコアンダ羽根３２とが成す内角が、スクロール１７の終端Ｆの接線と風向調整羽根３１とが成す内角よりも大きい、という条件を満たす姿勢をとるのが好ましい。
【００８３】
なお、内角については、図５Ａ（コアンダ気流前方吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）、および図５Ｂ（コアンダ気流天井吹き時のスクロール１７の終端Ｆの接線Ｌ０とコアンダ羽根３２とが成す内角Ｒ２と、スクロール１７の終端Ｆの接線Ｌ０と風向調整羽根３１とが成す内角Ｒ１との比較図）を参照のこと。
【００８４】
また、図５Ｂに示すように、コアンダ効果利用モードにおけるコアンダ羽根３２では、コアンダ羽根３２の先端部が水平より前方上向で、吹出口１５よりも外側上方に位置する。その結果、コアンダ気流はより遠方に到達する上に、コアンダ羽根の上側を通過するような強い気流の発生は抑制され、コアンダ気流の上方への誘導が阻害されにくくなる。
【００８５】
また、コアンダ羽根３２の後端部の高さ位置は運転停止時よりも低くなっているので、上流側でのコアンダ効果によるコアンダ気流が生成し易い。
【００８６】
（３−２−１）コアンダ気流前方吹き
図３Ｃは、コアンダ気流前方吹き時の風向調整羽根３１及びコアンダ羽根３２の側面図である。図３Ｃにおいて、「コアンダ気流前方吹き」が選択されたとき、制御部４０は、風向調整羽根３１の内側面３１ｂの前方端Ｅ１における接線Ｌ１が水平よりも前下がりになるまで風向調整羽根３１を回動させる。
【００８７】
次に、制御部４０は、コアンダ羽根３２の外側面３２ａが略水平になる位置までコアンダ羽根３２を回動させる。なお、本願実施形態のようにコアンダ羽根３２の外側面３２ａが円弧曲面をなしている場合は、外側面３２ａの前方端Ｅ２における接線Ｌ２が略水平になるまでコアンダ羽根３２を回動させる。つまり、図５Ａに示すように、接線Ｌ０と接線Ｌ２とが成す内角Ｒ２は、接線Ｌ０と接線Ｌ１とが成す内角Ｒ１よりも大きくなる。
【００８８】
風向調整羽根３１で前方下吹きに調整された吹出空気は、コアンダ効果によってコアンダ羽根３２の外側面３２ａに付着した流れとなり、この外側面３２ａに沿ったコアンダ気流に変わる。
【００８９】
したがって、風向調整羽根３１の前方端Ｅ１における接線Ｌ１方向が前方下吹きであっても、コアンダ羽根３２の前方端Ｅ２における接線Ｌ２方向が水平であるので、吹出空気は、コアンダ効果によってコアンダ羽根３２の外側面３２ａの前方端Ｅ２における接線Ｌ２方向、すなわち水平方向に吹き出される。
【００９０】
このように、コアンダ羽根３２が室内機前面部から離れて傾斜が緩やかになり、吹出空気が前面パネル１１ｂよりも前方でコアンダ効果を受け易くなる。その結果、風向調整羽根３１で風向調節された吹出空気が前方下吹きであっても、コアンダ効果によって水平吹きの空気となる。これは、吹出口通過直後の空気を前面パネルに近づけて前面パネルのコアンダ効果で上向きにする従来（特許文献１）の方法に比べて、風向調整羽根３１の通風抵抗による圧損が抑制されつつ風向が変更されることを意味する。
【００９１】
（３−２−２）コアンダ気流天井吹き
図３Ｄは、コアンダ気流天井吹き時の風向調整羽根３１及びコアンダ羽根３２の側面図である。図３Ｄにおいて、「コアンダ気流天井吹き」が選択されたとき、制御部４０は風向調整羽根３１の内側面３１ｂの前方端Ｅ１における接線Ｌ１が水平になるまで風向調整羽根３１を回動させる。
【００９２】
次に、制御部４０は、外側面３２ａの前方端Ｅ２における接線Ｌ２が前方上向きとなるまでコアンダ羽根３２を回動させる。つまり、図５Ｂに示すように、接線Ｌ０と接線Ｌ２とが成す内角Ｒ２は、接線Ｌ０と接線Ｌ１とが成す内角Ｒ１よりも大きくなる。風向調整羽根３１で水平吹きに調整された吹出空気は、コアンダ効果によってコアンダ羽根３２の外側面３２ａに付着した流れとなり、この外側面３２ａに沿ったコアンダ気流に変わる。
【００９３】
したがって、風向調整羽根３１の前方端Ｅ１における接線Ｌ１方向が前方吹きであっても、コアンダ羽根３２の前方端Ｅ２における接線Ｌ２方向が前方上吹きであるので、吹出空気は、コアンダ効果によってコアンダ羽根３２の外側面３２ａの前方端Ｅ２における接線Ｌ２方向、すなわち天井方向に吹き出される。コアンダ羽根３２の先端部は吹出口１５より外側に突出しているので、コアンダ気流はより遠方に到達する。さらに、コアンダ羽根３２の先端部は吹出口１５よりも上方に位置しているので、コアンダ羽根の上側を通過するような気流の発生は抑制され、コアンダ気流の上方への誘導が阻害されにくい。
【００９４】
このように、コアンダ羽根３２が室内機前面部から離れて傾斜が緩やかになり、吹出空気が前面パネル１１ｂよりも前方でコアンダ効果を受け易くなる。その結果、風向調整羽根３１で風向調節された吹出空気が前方吹きであっても、コアンダ効果によって上向きの空気となる。これは、吹出口通過直後の空気を前面パネルに近づけて前面パネルのコアンダ効果で上向きにする従来（特許文献１）の方法に比べて、風向調整羽根３１の通風抵抗による圧損が抑制されつつ風向が変更されることを意味する。
【００９５】
その結果、前面パネルに沿わせた気流を生じさせる特許文献１に記載の発明と比べて、吹出口１５が開き気味のまま、吹出空気が天井方向へ誘導される。つまり、通風抵抗が低く保たれた状態で吹出空気が天井方向へ誘導される。
【００９６】
なお、コアンダ羽根３２の長手方向の寸法は、風向調整羽根３１の長手方向の寸法以上である。それゆえ、風向調整羽根３１で風向調節された吹出空気すべてをコアンダ羽根３２で受けることができ、コアンダ羽根３２の側方から吹出空気がショートサーキットすることが防止されるという効果も奏している。
【００９７】
（３−３）下吹きモード
図３Ｅは、下吹き時の風向調整羽根３１及びコアンダ羽根３２の側面図である。図３Ｅにおいて、「下吹き」が選択されたとき、制御部４０は風向調整羽根３１の内側面３１ｂの前方端Ｅ１における接線が下向きなるまで風向調整羽根３１を回動させる。
【００９８】
次に、制御部４０は、外側面３２ａの前方端Ｅ２における接線が下向きとなるまでコアンダ羽根３２を回動させる。その結果、吹出空気は、風向調整羽根３１とコアンダ羽根３２との間を通過し、下向きに吹き出される。
【００９９】
特に、風向調整羽根３１がスクロール１７の終端部の接線角度より下向きになったときでも、制御部４０が下吹きモードを実行することによって、コアンダ羽根３２の外側面３２ａに当てて下向きの気流を生成することができる。
【０１００】
（４）動作
上記のような吹出空気の方向制御を利用した空調室内機の動作について、以下、図面を参照しながら説明する。
【０１０１】
（４−１）コアンダ風向設定
（４−１−１）コアンダ羽根３２の第１姿勢
図６Ａは、コアンダ羽根３２が第１姿勢をとるときのコアンダ気流の風向を示す空調室内機設置空間の側面図である。図６Ａにおいて、空調室内機１０は室内側壁の上方に設置されている。コアンダ羽根３２は、収納部１３０に収納されている状態（以後、第１姿勢とよぶ）である。コアンダ羽根３２が第１姿勢のときに風向調整羽根３１の姿勢を水平よりも上向きにすることによって、風向調整羽根３１の内側面３１ｂで風向調整された吹出空気がその内側面３１ｂを離れた後、コアンダ羽根３２の外側面３２ａに引っ張られるように方向を変え、第１コアンダ気流となってコアンダ羽根３２の外側面３２ａおよび前面パネル１１ｂに沿うように流れる。
【０１０２】
ここで、ユーザーがコアンダ気流を選択する方法について説明する。図７Ａは、制御部４０とリモコン５０との関係を示すブロック図である。図７Ａにおいて、リモコン５０は赤外線信号を無線で送信する。リモコン５０には、風向を切り換えるための切換手段を有している。具体的には、ユーザーが風向を選択できるように、風向選択メニューを表示する表示部５２と、各風向選択メニューを指定するためのカーソル５２ａを有している。
【０１０３】
先ず、ユーザーは、表示部５２に表示されたメニューの中から「コアンダ風向設定」をカーソル５２ａで選択する。なお、リモコン５０によるメニューの選択および確定するための技術は広く公開されているので詳細な説明は省略する。
【０１０４】
図７Ｂは、「コアンダ風向設定」メニューの下位メニューを表した表示部５２の正面図である。図７Ｂにおいて、「コアンダ風向設定」メニューの下位メニューには、第１〜第５コアンダ角度が予め準備されており、カーソル５２ａで第１コアンダ角度を指定して確定することによって、コアンダ羽根３２は図６Ａに示す第１姿勢をとり、第１コアンダ角度に応じた第１の向きのコアンダ気流が発生する。
【０１０５】
（４−１−２）コアンダ羽根３２の第２姿勢および第３姿勢
次に、図６Ｂは、コアンダ羽根３２が第２姿勢をとるときのコアンダ気流の風向を示す空調室内機設置空間の側面図である。図６Ｂにおけるコアンダ羽根３２の第２姿勢は、図７Ｂにおいてカーソル５２ａで第２コアンダ角度を指定し確定することによって成し得る。コアンダ羽根３２が第２姿勢のときに発生するコアンダ気流は、「（３−２−２）コアンダ気流天井吹き」の段で説明したコアンダ気流に相当する。第２コアンダ角度が選択されたとき、図３Ｄに示すように、制御部４０は風向調整羽根３１の内側面３１ｂの前方端Ｅ１における接線Ｌ１が水平になるまで風向調整羽根３１を回動させ、次に、外側面３２ａの前方端Ｅ２における接線Ｌ２が前方上向きとなるまでコアンダ羽根３２を回動させる。したがって、風向調整羽根３１の前方端Ｅ１における接線Ｌ１方向が前方吹きであっても、コアンダ羽根３２の前方端Ｅ２における接線Ｌ２方向が前方上吹きであるので、吹出空気は、コアンダ効果によってコアンダ羽根３２の外側面３２ａの前方端Ｅ２における接線Ｌ２方向、すなわち天井方向に吹き出される。
【０１０６】
なお、一旦、コアンダ気流が発生すると、風向調整羽根３１を動かさずにコアンダ羽根３２の角度のみを変動させてコアンダ気流の風向を調整することができる。例えば、図８Ａは、コアンダ羽根３２が第３姿勢のときの風向調整羽根３１とコアンダ羽根３２の側面図である。図８Ａにおいて、コアンダ羽根３２の第３姿勢は第２姿勢よりも下向きである。なお、図８Ａでは、比較のために第２姿勢のコアンダ羽根３２を２点鎖線で、第３姿勢のコアンダ羽根３２を実線で描いている。
【０１０７】
第２姿勢でコアンダ気流が確実に発生し、且つ、風向調整羽根３１の姿勢が変わらないとすれば、第２姿勢よりも下向きである第３姿勢でコアンダ気流がコアンダ羽根３２の外側面３２ａから剥離しないことは明らかである。このように、コアンダ気流天井吹きを実施したいときは、図７Ｂにおいてカーソル５２ａで第２コアンダ角度、若しくは第３コアンダ角度を選択することによって成し得る。
【０１０８】
本実施形態では、コアンダ羽根３２の第２姿勢および第３姿勢は、調和空気を遠方に飛ばしたいときに選択されることを想定している。例えば、吹出口１５から天井までの高さ距離、および吹出口１５からその対面壁までの対面距離がともに大きい場合は、コアンダ羽根３２の姿勢は第２姿勢が好ましい。他方、吹出口１５から天井までの高さ距離は小さいが、吹出口１５からその対面壁までの対面距離が大きい場合などはコアンダ羽根３２の姿勢は第３姿勢が好ましい。このようにユーザーは、リモコン５０を介して室内空間の大きさに応じてコアンダ羽根３２の姿勢を選択することができるので、使い勝手がよい上に、調和空気を空調対象空間に均一に行き渡らせることが可能となる。
【０１０９】
（４−１−３）コアンダ羽根３２の第４姿勢および第５姿勢
さらに、図６Ｃは、コアンダ羽根３２が第４姿勢をとるときのコアンダ気流の風向を示す空調室内機設置空間の側面図である。図６Ｃにおけるコアンダ羽根３２の第４姿勢は、図７Ｂにおいてカーソル５２ａで第４コアンダ角度を指定し確定することによって成し得る。コアンダ羽根３２が第４姿勢のときに発生するコアンダ気流は、「（３−２−１）コアンダ気流前方吹き」の段で説明したコアンダ気流に相当する。第４コアンダ角度が選択されたとき、図３Ｃに示すように、制御部４０は、風向調整羽根３１の内側面３１ｂの前方端Ｅ１における接線Ｌ１が水平よりも前下がりになるまで風向調整羽根３１を回動させ、次に、コアンダ羽根３２の外側面３２ａが略水平になる位置までコアンダ羽根３２を回動させる。したがって、風向調整羽根３１の前方端Ｅ１における接線Ｌ１方向が前方下吹きであっても、コアンダ羽根３２の前方端Ｅ２における接線Ｌ２方向が水平であるので、吹出空気は、コアンダ効果によってコアンダ羽根３２の外側面３２ａの前方端Ｅ２における接線Ｌ２方向、すなわち水平方向に吹き出される。
【０１１０】
なお、一旦、コアンダ気流が発生すると、風向調整羽根３１を動かさずにコアンダ羽根３２の角度のみを変動させてコアンダ気流の風向を調整することができる。例えば、図８Ｂは、コアンダ羽根３２が第５姿勢のときの風向調整羽根３１とコアンダ羽根３２の側面図である。図８Ｂにおいて、コアンダ羽根３２の第５姿勢は第４姿勢よりも下向きである。なお、図８Ｂでは、比較のために第４姿勢のコアンダ羽根３２を２点鎖線で、第５姿勢のコアンダ羽根３２を実線で描いている。
【０１１１】
第４姿勢でコアンダ気流が確実に発生し、且つ、風向調整羽根３１の姿勢が変わらないとすれば、第４姿勢よりも下向きである第５姿勢でコアンダ気流がコアンダ羽根３２の外側面３２ａから剥離しないことは明らかである。このように、コアンダ気流前方吹きを実施したいときは、図７Ｂにおいてカーソル５２ａで第４コアンダ角度、若しくは第５コアンダ角度を選択することによって成し得る。
【０１１２】
なお、上記の説明で明らかなように、コアンダ羽根３２の第１姿勢、第２姿勢および第４姿勢それぞれに対して風向調整羽根３１の姿勢が異なる。言い換えると、コアンダ羽根３２によるコアンダ気流は、風向調整羽根３１の姿勢とコアンダ羽根３２の姿勢との組み合わせによって如何なる方向にも仕向けることができる。
【０１１３】
（４−２）風向自動切換動作
図９Ａは、風向調整羽根３１の上下遥動による吹出空気の風向を示す空調室内機設置空間の側面図である。また、図９Ｂは、風向調整羽根３１が下向き時の吹出空気の風向を示す空調室内機設置空間の側面図である。さらに、図９Ｃは、コアンダ羽根３２の姿勢が第２姿勢のときのコアンダ気流の風向を示す空調室内機設置空間の側面図である。
【０１１４】
先ず、図９Ａにおける風向調整は、従来品にも実施されている、いわゆるオートルーバー機能による風向調整であって、人体４００に風を当てる動作・当てない動作の繰り返し手段として利用される。しかしながら、この風の当たり方は、人体４００に対して風が徐々に近づき徐々に遠ざかる当たり方であるので、自然界のような突然に風が人に当たるような形態ではない。
【０１１５】
これに対し、図９Ｂのような人体４００に向いた風を、コアンダ効果を利用して図９Ｃのような上向きのコアンダ気流に変更し、その後、その逆の動作を行なうことによって、突然人に当たるような自然風を作り出すことができる。ここで、ユーザーが自然風を選択する方法について説明する。図１０Ａは、風向選択メニューを表示する表示部５２の正面図である。図１０Ａにおいて、先ず、ユーザーは、表示部５２に表示されたメニューの中から「自然風設定」メニュー６０をカーソル５２ａで選択する。
【０１１６】
図１０Ｂは、「自然風設定」メニュー６０の下位メニューを表した表示部５２の正面図である。図１０Ｂにおいて、「自然風設定」メニュー６０の下位メニューには、「ノーマル」モードと「ランダム」モードが予め準備されている。
【０１１７】
例えば、ユーザーがカーソル５２ａで「ランダム」を指定して確定することによって、風向調整羽根３１はやや下向き姿勢に固定され、コアンダ羽根３２が不規則な周期で、コアンダ効果を発生させる領域とコアンダ効果を発生させない領域との間の境界域を跨ぐように移動する。これによって、コアンダ気流の発生と消滅とが繰り返され、人体４００に突然当たる風が作られる。
【０１１８】
（４−２−１）コアンダ羽根３２だけによる動作
図１１Ａは、コアンダ効果を発生させる領域とコアンダ効果を発生させない領域との間の境界域を跨ぐように移動するコアンダ羽根３２の側面図である。図１１Ａにおいて、風向調整羽根３１は下向き姿勢である。このとき、コアンダ羽根３２が第１姿勢となるＰ０位置（収納部１３０に収納された状態）にあるならば、吹出口１５を通過した吹出空気は風向調整羽根３１の内側面３１ｂに沿って吹き出される。
【０１１９】
その後、コアンダ羽根３２がＰ１位置およびＰ２位置を越えてＰ３位置まで降下し、その後Ｐ１位置まで戻る。これによって、吹出空気がコアンダ羽根３２の外側面３２ａに引き寄せられ、外側面３２ａに沿って流れるコアンダ気流となる。Ｐ１位置をコアンダ羽根３２が第２姿勢となる位置とすれば、コアンダ気流は天井に向うので人体４００には当たらない。このとき、ユーザーは、今まで自己に当たっていた風が突然なくなったような感覚を覚える。
【０１２０】
なお、上記の場合、Ｐ０位置はコアンダ効果を発生させる領域ではないが、コアンダ羽根３２が通過したＰ１位置とＰ２位置とはコアンダ効果を確実に発生させるコアンダ発生領域に含まれており、コアンダ羽根３２は、必ずコアンダ非発生領域とコアンダ発生領域との境界域を跨ぐ。
【０１２１】
任意の時間が経過後、コアンダ羽根３２が第１姿勢となるＰ０位置に戻れば、コアンダ効果が瞬間的に消滅し、風向調整羽根３１の内側面３１ｂに沿った吹出空気に切り換わる。このときユーザーは、突然に風が当たったような感覚を覚える。
【０１２２】
上記のような動作を不規則に繰り返すことによって、人体４００に対して自然風のような突然の風を当てることができる。他方、上記のような動作を一定時間経過ごとに繰り返すことによって、人体４００に対して定期的な自然風を当てることができる。
【０１２３】
（４−２−２）風向調整羽根３１だけによる動作
図１１Ｂは、コアンダ効果を発生させる領域とコアンダ効果を発生させない領域との間の境界域を跨ぐように移動する風向調整羽根３１の側面図である。図１１Ｂにおいて、風向調整羽根３１は下向き姿勢であるＱ１位置にある。このとき、コアンダ羽根３２は第２姿勢で固定されており、吹出空気は、コアンダ羽根３２の外側面３２ａに沿ったコアンダ気流となって、天井に向って吹き出されている。
【０１２４】
その後、風向調整羽根３１がＱ０位置まで降下することによって、コアンダ気流はコアンダ羽根３２の外側面３２ａから剥離し、風向調整羽根３１の内側面３１ｂに沿った吹出し空気に瞬間的に切り換わり、人体４００には当たる。このとき、ユーザーは、突然に風が当たったような感覚を覚える。
【０１２５】
任意の時間が経過後、風向調整羽根３１がQ０位置からQ１位置およびQ２位置を越えてQ３位置まで上昇し、その後Q１位置まで戻る。このとき、吹出空気がコアンダ羽根３２の外側面３２ａに瞬間的に引き寄せられ、外側面３２ａに沿って流れるコアンダ気流となる。コアンダ羽根３２は第２姿勢であり、コアンダ気流は天井に向うので人体４００には当たらない。このとき、ユーザーは、今まで自己に当たっていた風が突然なくなったような感覚を覚える。
【０１２６】
なお、上記の場合、Ｑ０位置はコアンダ効果を発生させる領域ではないが、風向調整羽根３１が通過したQ１位置とQ２位置とはコアンダ効果を確実に発生させるコアンダ発生領域に含まれており、風向調整羽根３１は、必ずコアンダ非発生領域とコアンダ発生領域との境界域を跨ぐ。
【０１２７】
上記のような動作を不規則に繰り返すことによって、人体４００に対して自然風のような突然の風を当てることができる。他方、上記のような動作を一定時間経過ごとに繰り返すことによって、人体４００に対して定期的な自然風を当てることができる。
【０１２８】
なお、上記のような自然風は、コアンダ羽根３２だけによる動作、および風向調整羽根３１だけによる動作以外に、風向調整羽根３１及びコアンダ羽根３２の両方を動作させて作り出すこともできる。
【０１２９】
（５）特徴
（５−１）
空調室内機１０では、制御部４０は風向自動切換モードを実行することができる。風向自動切換モードは、吹出空気を所定の面に沿わせたコアンダ気流にして所定の方向へ誘導するコアンダ効果利用状態と、コアンダ気流を発生させない通常状態とを自動で切り換えるモードである。それゆえ、空調室内機１０では、風向を瞬時に変更することができる。
【０１３０】
（５−２）
空調室内機１０では、コアンダ羽根３２が、吹出口１５の近傍に設けられ、吹出空気を自己の下面に沿わせたコアンダ気流にする。また、制御部４０が、風向自動切換モードにおいて、コアンダ羽根３２の姿勢を制御して、コアンダ効果利用状態と、通常状態とを切り換える。また、制御部４０は、風向自動切換モードにおいて、風向調整羽根３１の姿勢を制御して、コアンダ効果利用状態と、通常状態とを切り換えることもできる。さらに、制御部４０は、風向自動切換モードにおいて、風向調整羽根３１及びコアンダ羽根３２の姿勢を制御して、コアンダ効果利用状態と、通常状態とを切り換えることもできる。それゆえ、空調室内機１０は、下吹きの吹出空気を瞬時に水平吹きコアンダ気流へ、或いは水平吹き吹出空気を瞬時に上吹きコアンダ気流に切り換えることができる。
【０１３１】
（５−３）
空調室内機１０では、制御部４０が、風向自動切換モードにおいて、風向調整羽根３１の動作を停止し、コアンダ羽根３２がコアンダ効果を発生させる領域とコアンダ効果を発生させない領域との間の境界域を跨ぐようにコアンダ羽根３２の姿勢を変えることができる。また、制御部４０は、風向自動切換モードにおいて、コアンダ羽根３２の動作を停止し、風向調整羽根３１がコアンダ効果を発生させる領域とコアンダ効果を発生させない領域との間の境界域を跨ぐように、風向調整羽根３１の姿勢を変えることもできる。さらに、制御部４０は、風向自動切換モードにおいて、風向調整羽根３１およびコアンダ羽根３２がコアンダ効果を発生させる領域とコアンダ効果を発生させない領域との間の境界域を跨ぐように、風向調整羽根３１及びコアンダ羽根３２の姿勢を変えることもできる。
【０１３２】
（５−４）
空調室内機１０では、制御部４０が、風向自動切換モードにおいて、コアンダ効果利用状態と、通常状態との切り換えを不規則に行うことができる。それゆえ、自然風のような不規則な風を発生させることができる。また、制御部４０は、風向自動切換モードにおいて、コアンダ効果利用状態と、通常状態との切り換えを、定期的に行うこともできる。それゆえ、自然風のような突然の風を定期的に発生させることができる。
【０１３３】
（６）変形例
（６−１）第１変形例
上記実施形態の風向自動切換動作は、リモコン５０を介して自然風設定を選択することによって開始されるが、ユーザーがリモコン５０で解除しない限りこの動作を繰り返す。したがって、ユーザーが退室したときには風向自動切換動作が解除される機能があれば好ましい。
【０１３４】
図１２は、制御部４０、人検知センサ４４及びリモコン５０との関係を示すブロック図である。図１２において、ユーザーは、表示部５２に表示されたメニューの中から「自然風オート設定」メニュー６２をカーソル５２ａで選択することができる。ユーザーが「自然風オート設定」メニュー６２を確定した後、人検知センサ４４が室内に人が居ることを検知すれば、制御部４０はその位置に吹出空気が向うように風向調整羽根３１の姿勢を調整し、コアンダ羽根３２を第１姿勢（収納部１３０に収納された状態）にする。この形態は、図１１Ａに示す形態と同様であるので、以下、図１１Ａを用いて説明する。
【０１３５】
その後、コアンダ羽根３２がＰ１位置およびＰ２位置を越えてＰ３位置まで降下し、Ｐ１位置まで戻る。これによって、吹出空気がコアンダ羽根３２の外側面３２ａに引き寄せられ、外側面３２ａに沿って流れるコアンダ気流となる。Ｐ１位置をコアンダ羽根３２が第２姿勢となる位置とすれば、コアンダ気流は天井に向うので人体４００には当たらない。このとき、ユーザーは、今まで自己に当たっていた風が突然なくなったような感覚を覚える。
【０１３６】
任意の時間が経過後、コアンダ羽根３２が第１姿勢となるＰ０位置に戻れば、コアンダ効果が瞬間的に消滅し、風向調整羽根３１の内側面３１ｂに沿った吹出空気に切り換わる。このときユーザーは、突然に風が当たったような感覚を覚える。
【０１３７】
上記のような動作を不規則に繰り返すことによって、人体４００に対して自然風のような突然の風を当てることができる。
【０１３８】
（６−２）第２変形例
図１３Ａは、第２変形例に係る空調室内機の風向調整羽根３１及びコアンダ羽根３２の側面図である。図１３Ａにおいて、コアンダ羽根３２は先端を水平よりもやや上方に向けた状態で静止している。風向調整羽根３１は、先端を水平方向よりもやや上方に向ける上位置と、先端を斜め下方に向ける下位置との間をスイングする。
【０１３９】
風向調整羽根３１がスイングすることによって、吹出空気の方向が上下に変動するので、居住者は風が徐々に近づき徐々に遠ざかっていくように感じる。また、吹出空気が静止するコアンダ羽根３２に接触することによってコアンダ気流となって居住者に当たらない方向に向うので、突然風が止まったように感じる。さらに、吹出空気が静止するコアンダ羽根３２から離れたとき、コアンダ気流が解消され、不意に風が吹いてきたように感じる。
【０１４０】
図１３Ｂは、図１３Ａにおけるコアンダ羽根３２の静止位置をわずかに下方へずらした状態のときの風向調整羽根３１及びコアンダ羽根３２の側面図である。図１３Ｂにおいて、風向調整羽根３１のスイング回数が所定回数に到達するごとに、コアンダ羽根３２は静止位置を現在の静止位置とは異なる位置へ移動する。その結果、コアンダ羽根３２に吹出空気が接触してコアンダ気流になるタイミングが前回と変わるので、風が居住者に当たるタイミングが不規則になり、その不規則感が風をさらに自然風に近づける。
【０１４１】
（６−３）第３変形例
図１４Ａは、第３変形例に係る空調室内機の風向調整羽根３１及びコアンダ羽根３２の側面図である。図１４において、風向調整羽根３１は先端を水平よりもやや下方に向けた状態で静止している。コアンダ羽根３２は、先端を水平方向よりもやや上方に向ける上位置と、先端を水平よりやや下方に向ける下位置との間をスイングする。
【０１４２】
風向調整羽根３１によって吹出空気が居住者に向っている状態のときに、コアンダ羽根３２がスイングすることによって、吹出空気がコアンダ羽根３２に接触してコアンダ気流となり居住者に当たらない別の方向に向うので、居住者は突然風が止まったように感じる。その後、コアンダ羽根３２が吹出空気から遠ざかることによってコアンダ気流が解消され、再び吹出空気が居住者に当たるので、不意に風が吹いてきたように感じる。
【０１４３】
図１４Ｂは、図１４Ａにおける風向調整羽根３１の静止位置をわずかに下方へずらした状態のときの風向調整羽根３１及びコアンダ羽根３２の側面図である。図１４Ｂにおいて、コアンダ羽根３２のスイング回数が所定回数に到達するごとに、風向調整羽根３１は静止位置を現在の静止位置とは異なる位置へ移動する。その結果、コアンダ羽根３２に吹出空気が接触してコアンダ気流になるタイミングが前回と変わるので、風が居住者に当たるタイミングが不規則になり、その不規則感が風をさらに自然風に近づける。
【０１４４】
（６−４）第４変形例
図１５は、第４変形例に係る空調室内機の風向調整羽根３１及びコアンダ羽根３２の側面図である。図１５において、風向調整羽根３１は、先端を水平方向よりもやや上方に向ける上位置と、先端を斜め下方に向ける下位置との間をスイングする。また、コアンダ羽根３２は、先端を水平方向よりもやや上方に向ける上位置と、先端を水平よりやや下方に向ける下位置との間をスイングする。そして、スイングは、風向調整羽根３１が上位置に向って移動をしているときに、コアンダ羽根３２が下位置に向って移動するような動作が好ましい。
【０１４５】
風向調整羽根３１がスイングすることによって、吹出空気の方向が上下に変動するので、居住者は風が徐々に近づき徐々に遠ざかっていくように感じる。また、風向調整羽根３１とコアンダ羽根３２とが所定の間隔になるところまで接近したとき、吹出空気がコアンダ羽根３２に接触することによってコアンダ気流となって居住者に当たらない方向に向う。このとき、居住者は、突然風が止まったように感じる。そして、風向調整羽根３１とコアンダ羽根３２とが所定の間隔になるところまで離れ、吹出空気がコアンダ羽根３２から離れたとき、コアンダ気流は解消され、不意に風が吹いてきたように感じる。
【産業上の利用可能性】
【０１４６】
本発明は、壁掛け式空調室内機に有用である。
【符号の説明】
【０１４７】
１０  空調室内機
１５  吹出口
３１  風向調整羽根（可動部材）
３２  コアンダ羽根
３２ａ  下面
４０  制御部
４４  人検知センサ（人位置検知センサ）
【先行技術文献】
【特許文献】
【０１４８】
【特許文献１】特開２００２−６１９３８号公報
【図１】
0005403125.tif 000002
【図２】
0005403125.tif 000003
【図３Ａ】
0005403125.tif 000004
【図３Ｂ】
0005403125.tif 000005
【図３Ｃ】
0005403125.tif 000006
【図３Ｄ】
0005403125.tif 000007
【図３Ｅ】
0005403125.tif 000008
【図４Ａ】
0005403125.tif 000009
【図４Ｂ】
0005403125.tif 000010
【図５Ａ】
0005403125.tif 000011
【図５Ｂ】
0005403125.tif 000012
【図６Ａ】
0005403125.tif 000013
【図６Ｂ】
0005403125.tif 000014
【図６Ｃ】
0005403125.tif 000015
【図７Ａ】
0005403125.tif 000016
【図７Ｂ】
0005403125.tif 000017
【図８Ａ】
0005403125.tif 000018
【図８Ｂ】
0005403125.tif 000019
【図９Ａ】
0005403125.tif 000020
【図９Ｂ】
0005403125.tif 000021
【図９Ｃ】
0005403125.tif 000022
【図１０Ａ】
0005403125.tif 000023
【図１０Ｂ】
0005403125.tif 000024
【図１１Ａ】
0005403125.tif 000025
【図１１Ｂ】
0005403125.tif 000026
【図１２】
0005403125.tif 000027
【図１３Ａ】
0005403125.tif 000028
【図１３Ｂ】
0005403125.tif 000029
【図１４Ａ】
0005403125.tif 000030
【図１４Ｂ】
0005403125.tif 000031
【図１５】
0005403125.tif 000032